(57)【要約】【課題】データの著作権を保護しつつ、複写／移動元の端末装置と複写／移動先の端末装置との間で直接、複写／移動先の端末装置で利用可能なデータのみを複写／移動する。【解決手段】記憶部１３０ａが、使用者が購入した電子ファイルに個人識別情報を付与した個人識別情報付き電子ファイル１３２ａを記憶し、これらの電子ファイルを他の移動局装置に複写する場合に、個人識別情報判定制御部１４３ａが、自装置に登録されている個人識別情報と、複写先の端末装置に登録されている個人識別情報とが一致しているか否かを判定し、個人識別情報が一致していると判定した場合に、電子ファイル操作制御部１４１ａを介して個人識別情報付き電子ファイル１３２ａの中から複写対象の電子ファイルを取得し、近距離通信手段により複写先の移動局装置に対して送信する。【選択図】        図１
2007334453.tif 000002
【特許請求の範囲】
【請求項１】
他の端末装置との間で通信を行う近距離通信手段を備えるとともに、使用者が購入した電子ファイルを装置内に記憶する端末装置であって、
使用者が購入した電子ファイルに該使用者を識別する個人識別情報を付与して記憶する電子ファイル記憶手段と、
前記電子ファイル記憶手段により記憶された電子ファイルを他の端末装置に複写／移動する場合に、登録されている個人識別情報と、複写／移動先の端末装置に登録されている個人識別情報とが一致しているか否かを判定する個人識別情報判定手段と、
前記個人識別情報判定手段により個人識別情報が一致していると判定された場合に、前記電子ファイル記憶手段により記憶された電子ファイルの中から複写／移動対象の電子ファイルを取得し、該取得した電子ファイルを前記近距離通信手段により前記複写／移動先の端末装置に対して送信する電子ファイル送信手段と、
を備えたことを特徴とする端末装置。
【請求項２】
前記個人識別情報判定手段は、前記複写／移動対象の電子ファイルに付与されている個人識別情報と、前記複写／移動先の端末装置から取得した個人識別情報とが一致しているか否かを判定することを特徴とする請求項１に記載の端末装置。
【請求項３】
前記個人識別情報判定手段は、登録されている個人識別情報を前記複写／移動先の端末装置に送信し、該送信した個人識別情報と、前記複写／移動先の端末装置に登録されている個人識別情報とが一致した場合に該複写／移動先の端末装置から送信される認証結果を受信し、該受信した認証結果に基づいて個人識別情報が一致しているか否かを判定し、
前記電子ファイル送信手段は、前記個人識別情報判定手段により個人識別情報が一致していると判定された場合に、該個人識別情報が付与されている電子ファイルを前記電子ファイル記憶手段により記憶された電子ファイルの中から取得し、該取得した電子ファイルを複写／移動先の端末装置に対して送信することを特徴とする請求項１に記載の端末装置。
【請求項４】
他の端末装置との間で通信を行う近距離通信手段を備えるとともに、使用者が購入した電子ファイルを装置内に記憶する端末装置におけるデータ複写／移動認証方法であって、
端末装置の使用者が購入した電子ファイルに該使用者を識別する個人識別情報を付与して該端末装置内の記憶装置に記憶する電子ファイル記憶工程と、
前記電子ファイル記憶工程により記憶された電子ファイルを複写／移動先の端末装置に複写／移動する場合に、複写／移動元の端末装置が、登録されている個人識別情報と、複写／移動先の端末装置に登録されている個人識別情報とが一致しているか否かを判定する個人識別情報判定工程と、
前記個人識別情報判定工程により個人識別情報が一致していると判定された場合に、複写／移動元の端末装置が、前記電子ファイル記憶工程により記憶された電子ファイルの中から複写／移動対象の電子ファイルを取得し、該取得した電子ファイルを前記近距離通信手段により前記複写／移動先の端末装置に対して送信する電子ファイル送信工程と、
を含んだことを特徴とするデータ複写／移動認証方法。
【請求項５】
他の端末装置との間で通信を行う近距離通信手段を備えるとともに、使用者が購入した電子ファイルを装置内に記憶する端末装置で実行されるデータ複写／移動認証プログラムであって、
端末装置の使用者が購入した電子ファイルに該使用者を識別する個人識別情報を付与して該端末装置内の記憶装置に記憶する電子ファイル記憶手順と、
前記電子ファイル記憶手順により記憶された電子ファイルを他の端末装置に複写／移動する場合に、登録されている個人識別情報と、複写／移動先の端末装置に記憶されている個人識別情報とが一致しているか否かを判定する個人識別情報判定手順と、
前記個人識別情報判定手順により個人識別情報が一致していると判定された場合に、前記電子ファイル記憶手順により記憶された電子ファイルの中から複写／移動対象の電子ファイルを取得し、該取得した電子ファイルを前記近距離通信手段により前記複写／移動先の端末装置に対して送信する電子ファイル送信手順と、
を前記端末装置に実行させることを特徴とするデータ複写／移動認証プログラム。
【発明の詳細な説明】
【技術分野】
【０００１】
この発明は、他の端末装置との間で通信を行う近距離通信手段を備えるとともに、使用者が購入した電子ファイルを装置内に記憶する端末装置、端末装置におけるデータ複写／移動認証方法、および、端末装置で実行されるデータ複写／移動認証プログラムに関し、特に、データの著作権を保護しつつ、複写／移動元の端末装置と複写／移動先の端末装置との間で直接、複写／移動先の端末装置で利用可能なデータのみを複写／移動することができる端末装置、データ複写／移動認証方法およびデータ複写／移動認証プログラムに関するものである。
【背景技術】
【０００２】
近年、携帯電話などの端末装置において実行／再生されるゲームやアプリケーションなどのソフトウェア、楽曲データ、動画データなどの電子ファイルは、ネットワークなどを介して購入され、端末装置内に保存される。
【０００３】
かかる電子ファイルは、多くの場合、著作権によって保護されており、電子ファイルの購入者のみが、個人使用の範囲に限りその使用を許可されている。そのため、端末装置に保存された電子ファイルの著作権保護を目的とし、購入者以外の第三者による不正使用や、第三者が所有する端末装置への不正コピーを防止するための様々な技術が考案されている。
【０００４】
例えば、特許文献１（特開２００５−３０１３６０号公報）には、パーソナルコンピュータやサーバ装置などに保存されている電子ファイルについて、電子ファイル毎に認証手段（指紋、ＩＣカード、携帯電話など）を設定し、ソフトウェアの起動や複写／移動／削除などのオペレーションによって電子ファイルへのアクセスが行われた際に、端末装置内で認証チェックを行うシステムが開示されている。
【０００５】
また、特許文献２（特開２００２−９９４６６号公報）には、音楽データなどのデータを記録／再生するデータ記録再生装置ごとに記憶されている使用者識別情報と、電子ファイル毎に付与されている所有者識別情報とが一致するか否かを判定し、一致していた場合のみ、サーバ装置を経由してデータ記録再生装置間で電子ファイルの送受信を可能とするシステムが開示されている。
【０００６】
また、特許文献３（特開２００２−１００１１６号公報）には、音楽データなどのデータを記録／再生するデータ記録再生装置において、データを記録媒体に記録する際に、使用者を特定するための使用者識別情報を付与して記録しておき、かかるデータを再生する際に、データに付与されている使用者識別情報と装置内の他の記録媒体に記録されている使用者識別情報とが一致するか否かを判定し、一致していた場合のみ、当該記録データの再生を許可する方法が開示されている。
【０００７】
また、特許文献４（特開２００４−２８０４７１号公報）には、モバイル装置において、利用者認証を行う個人認証装置と、データやプログラムを保存するアプリケーション装置とを着脱自在に設け、利用者と装置間の利用者認証と各装置間の装置間認証との両方の認証結果が正当な場合のみアプリケーション装置に保存されたデータへのアクセスやプログラムの実行を可能とする方法が開示されている。
【０００８】
また、特許文献５（特開２０００−９００３９号公報）には、クライアント装置が、音楽データを再生する再生装置固有のＩＤに基づいて公開鍵および秘密鍵を生成し、秘密鍵は再生装置に保持させ、公開鍵は音楽データを配信するサーバ装置に送信しておき、サーバ装置が、クライアント装置からの配信要求を受け付けた際に、当該クライアント装置から受信していた公開鍵で音楽データを暗号化して配信することにより、秘密鍵を保持している再生装置のみで当該音楽データの復号および再生を可能とする方法が開示されている。
【０００９】
また、特許文献６（特開２００５−４２６３号公報）には、サーバ装置において、個人が所有する複数の情報機器を一つのグループとして管理し、著作権で保護されたコンテンツデータの利用を可能にするためのライセンス情報と、グループ毎に付与された情報とを対応付けて処理を行うことによって、同一グループに属する情報機器のみで当該コンテンツデータの利用を可能とする方法が開示されている。
【００１０】
【特許文献１】特開２００５−３０１３６０号公報
【特許文献２】特開２００２−９９４６６号公報
【特許文献３】特開２００２−１００１１６号公報
【特許文献４】特開２００４−２８０４７１号公報
【特許文献５】特開２０００−９００３９号公報
【特許文献６】特開２００５−４２６３号公報
【発明の開示】
【発明が解決しようとする課題】
【００１１】
このように、著作権保護のための策が講じられる一方で、例えば、近年の携帯電話は、新機種が発表される周期が非常に短くなっており、機種変更や買い増しを行う利用者が増えてきている。これにより、携帯電話の機種変更や買い増しを行った場合でも、それまで使用していた端末装置（携帯電話）に保存されている電子ファイルを、新しい端末装置に複写または移動し、個人使用の範囲で引き続き利用できることが望まれている。
【００１２】
しかしながら、著作権保護を実現しつつ個人使用の範囲で端末装置間のデータの移動／複写を実現する場合、従来の技術では様々な問題が生じてくる。例えば、特許文献１のシステムでは、端末装置内で認証チェックが行われるため、電子ファイルの複写／移動先が第三者の端末装置であってもデータの複写／移動が可能であるという問題がある。
【００１３】
また、特許文献２のシステムでは、データの送受信を行う場合はサーバ装置にアクセスする必要があるため、ネットワークを利用できない環境では、データを複写／移動することができないという問題がある。また、特許文献３の方法では、データを再生する際に利用者の認証を行うため、再生不可能なデータが複写／移動されてしまう可能性があり、記録媒体の領域が無駄に消費される場合があるという問題がある。
【００１４】
また、特許文献４の方法では、個人認証装置やアプリケーション装置など、端末装置の他に装置が必要となり、それに伴い、装置の着脱などの特別な操作が必要となるという問題がある。また、特許文献５の方法では、装置固有のＩＤに基づいて認証が行われるため、端末装置の買い増しを行った場合など、同時に複数の端末装置を使用する場合に、個人使用の範囲でも複写／移動先の端末装置ではデータを利用することができないという問題がある。
【００１５】
また、特許文献６の方法では、グループ管理を行うためのサーバ装置が必要となる上に、データを利用するのに必要なグループ毎に付与された情報をサーバ装置から取得する必要があるため、ネットワークを利用できない環境では、データを複写／移動しても、複写／移動先でデータを利用することができないという問題がある。
【００１６】
この発明は、上述した従来技術による問題点を解消するためになされたものであり、データの著作権を保護しつつ、複写／移動元の端末装置と複写／移動先の端末装置との間で直接、複写／移動先の端末装置で利用可能なデータのみを複写／移動することができる端末装置、データ複写／移動認証方法およびデータ複写／移動認証プログラムを提供することを目的とする。
【課題を解決するための手段】
【００１７】
上述した課題を解決し、目的を達成するため、本発明に係る端末装置は、他の端末装置との間で通信を行う近距離通信手段を備えるとともに、使用者が購入した電子ファイルを装置内に記憶する端末装置であって、使用者が購入した電子ファイルに該使用者を識別する個人識別情報を付与して記憶する電子ファイル記憶手段と、前記電子ファイル記憶手段により記憶された電子ファイルを他の端末装置に複写／移動する場合に、登録されている個人識別情報と、複写／移動先の端末装置に登録されている個人識別情報とが一致しているか否かを判定する個人識別情報判定手段と、前記個人識別情報判定手段により個人識別情報が一致していると判定された場合に、前記電子ファイル記憶手段により記憶された電子ファイルの中から複写／移動対象の電子ファイルを取得し、該取得した電子ファイルを前記近距離通信手段により前記複写／移動先の端末装置に対して送信する電子ファイル送信手段と、を備えたことを特徴とする。
【００１８】
また、本発明に係る端末装置は、上記の発明において、前記個人識別情報判定手段は、前記複写／移動対象の電子ファイルに付与されている個人識別情報と、前記複写／移動先の端末装置から取得した個人識別情報とが一致しているか否かを判定することを特徴とする。
【００１９】
また、本発明に係る端末装置は、上記の発明において、前記個人識別情報判定手段は、登録されている個人識別情報を前記複写／移動先の端末装置に送信し、該送信した個人識別情報と、前記複写／移動先の端末装置に登録されている個人識別情報とが一致した場合に該複写／移動先の端末装置から送信される認証結果を受信し、該受信した認証結果に基づいて個人識別情報が一致しているか否かを判定し、前記電子ファイル送信手段は、前記個人識別情報判定手段により個人識別情報が一致していると判定された場合に、該個人識別情報が付与されている電子ファイルを前記電子ファイル記憶手段により記憶された電子ファイルの中から取得し、該取得した電子ファイルを複写／移動先の端末装置に対して送信することを特徴とする。
【００２０】
また、本発明に係るデータ複写／移動認証方法は、他の端末装置との間で通信を行う近距離通信手段を備えるとともに、使用者が購入した電子ファイルを装置内に記憶する端末装置におけるデータ複写／移動認証方法であって、端末装置の使用者が購入した電子ファイルに該使用者を識別する個人識別情報を付与して該端末装置内の記憶装置に記憶する電子ファイル記憶工程と、前記電子ファイル記憶工程により記憶された電子ファイルを複写／移動先の端末装置に複写／移動する場合に、複写／移動元の端末装置が、登録されている個人識別情報と、複写／移動先の端末装置に登録されている個人識別情報とが一致しているか否かを判定する個人識別情報判定工程と、前記個人識別情報判定工程により個人識別情報が一致していると判定された場合に、複写／移動元の端末装置が、前記電子ファイル記憶工程により記憶された電子ファイルの中から複写／移動対象の電子ファイルを取得し、該取得した電子ファイルを前記近距離通信手段により前記複写／移動先の端末装置に対して送信する電子ファイル送信工程と、を含んだことを特徴とする。
【００２１】
また、本発明に係るデータ複写／移動認証プログラムは、他の端末装置との間で通信を行う近距離通信手段を備えるとともに、使用者が購入した電子ファイルを装置内に記憶する端末装置で実行されるデータ複写／移動認証プログラムであって、端末装置の使用者が購入した電子ファイルに該使用者を識別する個人識別情報を付与して該端末装置内の記憶装置に記憶する電子ファイル記憶手順と、前記電子ファイル記憶手順により記憶された電子ファイルを他の端末装置に複写／移動する場合に、登録されている個人識別情報と、複写／移動先の端末装置に記憶されている個人識別情報とが一致しているか否かを判定する個人識別情報判定手順と、前記個人識別情報判定手順により個人識別情報が一致していると判定された場合に、前記電子ファイル記憶手順により記憶された電子ファイルの中から複写／移動対象の電子ファイルを取得し、該取得した電子ファイルを前記近距離通信手段により前記複写／移動先の端末装置に対して送信する電子ファイル送信手順と、を前記端末装置に実行させることを特徴とする。
【発明の効果】
【００２２】
本発明によれば、使用者が購入した電子ファイルに、その使用者を識別する個人識別情報を付与して記憶しておき、これらの電子ファイルを他の端末装置に複写／移動する場合に、複写／移動元の端末装置に登録されている個人識別情報と、複写／移動先の端末装置に登録されている個人識別情報とが一致しているか否かを判定し、個人識別情報が一致していると判定した場合に、複写／移動元の端末装置が、記憶している電子ファイルの中から複写／移動対象の電子ファイルを取得し、取得した電子ファイルを近距離通信手段により複写／移動先の端末装置に対して送信するよう構成したので、電子ファイルの著作権を保護しつつ、新たな設備導入をすることなく、複写元の移動局装置と複写先の端末装置との間で直接、電子ファイルを複写することができるという効果を奏する。また、赤外線通信機などの近距離通信手段を用いて電子ファイルを複写するので、ネットワークの状態や、他の認証用の装置に依存することなく電子ファイルを複写することができるという効果も奏する。また、複写元の移動局装置から電子ファイルを送信する前に個人識別情報による認証を行うので、複写先の移動局装置で利用可能な電子ファイルのみを複写することができるという効果も奏する。
【００２３】
また、本発明によれば、個人情報が一致しているか否かを判定する際に、複写／移動対象の電子ファイルに付与されている個人識別情報と、複写／移動先の端末装置から取得した個人識別情報とが一致しているか否かを判定するよう構成したので、複写／移動時に、電子ファイルごとに認証を行うことが可能になるという効果を奏する。
【００２４】
また、本発明によれば、複写／移動元の端末装置が、登録されている個人識別情報を複写／移動先の端末装置に送信し、送信した個人識別情報と、複写／移動先の端末装置に登録されている個人識別情報とが一致した場合に複写／移動先の端末装置から送信される認証結果を受信した後に、受信した認証結果に基づいて個人識別情報が一致しているか否かを判定し、個人識別情報が一致していると判定した場合に、その個人識別情報が付与されている電子ファイルを、記憶している電子ファイルの中から取得し、取得した電子ファイルを複写／移動先の端末装置に対して送信するよう構成したので、電子ファイルの著作権を保護しつつ、固定局１０やサーバ装置３０に新たな設備導入をすることなく、複写元の移動局装置と複写先の端末装置との間で直接、電子ファイルを複写することができる。また、複写元の移動局装置から電子ファイルを送信する前に個人識別情報による認証を行うので、複写先の移動局装置で利用可能な電子ファイルのみを複写することができるという効果を奏する。
【発明を実施するための最良の形態】
【００２５】
以下に添付図面を参照して、この発明に係る端末装置、データ複写／移動認証方法およびデータ複写／移動認証プログラムの好適な実施例を詳細に説明する。なお、本実施例では、本発明を、固定局を介して通話や通信を行う移動局装置（例えば、携帯電話など）に適用した場合を中心に説明する。
【実施例１】
【００２６】
図１は、本実施例１に係る移動局装置の構成を示す機能ブロック図である。まず、図１を用いて、本実施例１に係る移動局装置の概念について説明する。同図に示すように、この移動局装置１００ａは、無線通信によって電話局などの固定局１０に接続され、通話や通信が行われるものである。
【００２７】
また、移動局装置１００ａは、固定局１０によって中継され、ネットワーク２０を経由してサーバ装置３０に接続される。そして、使用者がゲームやアプリケーションなどのソフトウェア、楽曲データ、動画データなどを購入した際には、移動局装置１００ａは、かかるソフトウェアやデータなどの電子ファイルをサーバ装置３０からダウンロードし、移動局装置１００ａ内部の記憶領域に保存する。
【００２８】
この時、移動局装置１００ａは、ダウンロードした電子ファイルに、移動局装置１００ａの使用者を識別する個人識別情報を付与して、移動局装置１００ａともに記憶領域に保存する。ここで用いられる個人識別情報は、例えば指紋や顔の画像に基づいて生成した生体情報など、移動局装置１００ａの使用者を識別するための情報であり、あらかじめ移動局装置１００ａの記憶領域に登録されている。
【００２９】
ここで、移動局装置１００ａの使用者が、同図に示す新たな移動局装置１００ｂを新たに購入したとする。この移動局装置１００ｂは、移動局装置１００ａと同様の構成を有するものである。移動局装置１００ａの使用者は、それまで移動局装置１００ａで利用していた電子ファイルを、移動局装置１００ｂでも利用できるように、移動局装置１００ｂに複写する。この複写は、あくまで個人使用の範囲で行われるものであり、著作権保護の観点から見ても問題がないものである。
【００３０】
まず、移動局装置１００ｂにおいて、移動局装置１００ａの使用者により、当該使用者を識別するための個人識別情報が登録される。その後、移動局装置１００ａにおいて、同じく移動局装置１００ａの使用者により、移動局装置１００ｂに複写する電子ファイルが指定されるとともに、電子ファイルの複写を開始する指示が行われる。
【００３１】
これを契機として、移動局装置１００ａは、赤外線通信機などの近距離通信手段を用いて移動局装置１００ｂとの間でコネクションを確立し、移動局装置１００ｂから個人識別情報を取得する。そして、移動局装置１００ａは、使用者により指定された電子ファイルに付与されている個人識別情報と、移動局装置１００ｂから取得した個人識別情報とを照合し、一致していた場合は、当該電子ファイルを移動局装置１００ｂに対して送信する。
【００３２】
そして、移動局装置１００ｂは、受信した電子ファイルを自装置の記憶領域に保存する。これにより、以降、移動局装置１００ｂにおいて、移動局装置１００ａから複写された電子ファイルの利用が可能になる。
【００３３】
このように、本実施例１に係る移動局装置１００ａは、使用者が購入した電子ファイルに、その使用者を識別する個人識別情報を付与して自装置の記憶領域に記憶しておき、これらの電子ファイルを他の移動局装置（ここでは、移動局装置１００ｂ）に複写する場合に、自装置に登録されている個人識別情報と、複写先の端末装置に登録されている個人識別情報とが一致しているか否かを判定して、個人識別情報が一致していると判定した場合に、記憶領域に記憶している電子ファイルの中から複写対象の電子ファイルを取得し、取得した電子ファイルを近距離通信手段により複写先の移動局装置に対して送信するので、電子ファイルの著作権を保護しつつ、固定局１０やサーバ装置３０に新たな設備導入をすることなく、複写元の移動局装置と複写先の端末装置との間で直接、電子ファイルを複写することができる。また、赤外線通信機などの近距離通信手段を用いて電子ファイルを複写するので、ネットワークの状態や、他の認証用の装置に依存することなく電子ファイルを複写することができる。また、複写元の移動局装置から電子ファイルを送信する前に個人識別情報による認証を行うので、複写先の移動局装置で利用可能な電子ファイルのみを複写することができる。
【００３４】
次に、引き続き図１を用いて、本実施例１に係る移動局装置の構成について説明する。なお、同図に示す移動局装置１００ａおよび１００ｂは、いずれも同様の構成を有するので、ここでは移動局装置１００ａを例にとって説明する。同図に示すように、移動局装置１００ａは、ＮＷ通信制御部１１０ａと、近距離通信制御部１２０ａと、記憶部１３０ａと、制御部１４０ａとを有する。
【００３５】
ＮＷ通信制御部１１０ａは、固定局１０との間で各種情報を送受信するための通信を制御する処理部であり、例えば、ゲームやアプリケーションなどのソフトウェア、楽曲データ、動画データなどをサーバ装置３０からダウンロードするためのダウンロード要求を送信し、このダウンロード要求に対してサーバ装置３０から応答されるソフトウェアやデータなどの電子ファイルを受信する。
【００３６】
近距離通信制御部１２０ａは、近距離に所在する他の移動局装置との間で通信コネクションを確立し、各種情報の送受信を行う近距離通信を制御する処理部である。この近距離通信制御部１２０ａは、移動局装置１００ａが電子ファイルの複写元であった場合には、例えば、使用者を認証するための個人識別情報を複写先の移動局装置から受信し、記憶部１３０ａに記憶されているソフトウェアやデータの電子ファイルを複写先の移動局装置に対して送信する。
【００３７】
一方、移動局装置１００ａが電子ファイルの複写先であった場合には、近距離通信制御部１２０ａは、例えば、電子ファイルの複写の開始を要求する複写開始要求を複写元の移動局装置から受信し、記憶部１３０ａに記憶されている個人識別情報を複写元の移動局装置に対して送信し、認証後の電子ファイルを移動元の移動局装置から受信する。
【００３８】
記憶部１３０ａは、制御部１４０ａによる各種処理に必要なデータなどを格納する記憶手段であり、特に本発明に密接に関連するものとしては、個人識別情報１３１ａと、個人識別情報付き電子ファイル１３２ａとを記憶する。
【００３９】
個人識別情報１３１ａは、移動局装置１００ａの使用者を識別する個人識別情報であり、あらかじめ使用者によって記憶部１３０ａに登録されている。ここで用いられる個人識別情報は、例えば指紋や顔の画像に基づいて生成した生体情報などであり、例えば、図示してない指紋情報入力手段やカメラなどによって登録される。
【００４０】
ここで、使用者を識別する個人識別情報として、使用者の生体情報を用いることによって、例えばユーザＩＤやパスワードなどの知識属性を用いた認証などに比べて、精度の高い個人認証を行うことが可能になる。
【００４１】
個人識別情報付き電子ファイル１３２ａは、サーバ装置３０からダウンロードされたソフトウェアやデータなど各種の電子ファイルであり、個々の電子ファイルには、それぞれがダウンロードされた時点で個人識別情報１３１ａに記憶されていた個人識別情報が付与されている。
【００４２】
制御部１４０ａは、移動局装置１００ａを一つの装置として機能させるための各種処理を実行する処理部であり、特に本発明に密接に関連するものとしては、機能概念的に、電子ファイル操作制御部１４１ａと、個人識別情報操作制御部１４２ａと、個人識別情報判定制御部１４３ａとを備える。
【００４３】
電子ファイル操作制御部１４１ａは、記憶部１３０ａへの個人識別情報付き電子ファイル１３２ａの保存や、記憶部１３０ａからの個人識別情報付き電子ファイル１３２ａの取得を制御する処理部である。
【００４４】
具体的には、この電子ファイル操作制御部１４１ａは、使用者からの指示によってソフトウェアやデータなどの電子ファイルがサーバ装置３０からダウンロードされると、個人識別情報操作制御部１４２ａに対して個人識別情報の取得を要求し、この個人識別情報取得要求に対して応答される個人識別情報を、ダウンロード済みの電子ファイルに付与した上で、その電子ファイルを個人識別情報付き電子ファイル１３２ａとして記憶部１３０ａに保存する。
【００４５】
このように、電子ファイル操作制御部１４１ａが、電子ファイルがダウンロードされた際に、その電子ファイルに個人識別情報を付与して保存しておくことによって、複写時に、電子ファイルごとに認証を行うことが可能になる。
【００４６】
また、電子ファイル操作制御部１４１ａは、移動局装置１００ａが電子ファイルの複写元である場合には、個人識別情報判定制御部１４３ａから電子ファイルの取得を要求されると、複写開始要求時に使用者によって指定された電子ファイルを、記憶部１３０ａに記憶されている個人識別情報付き電子ファイル１３２ａの中から取得し、個人識別情報判定制御部１４３ａに対して応答する。
【００４７】
また、電子ファイル操作制御部１４１ａは、移動局装置１００ａが電子ファイルの複写先である場合には、複写元の移動局装置から受信した電子ファイルを、個人識別情報操作制御部１４２ａを介して受け取ると、受け取った電子ファイルに制限情報が付加されているか否かを判定し、制限情報が付加されていなかった場合には、当該電子ファイルを個人識別情報付き電子ファイル１３２ａとして記憶部１３０ａに保存し、一方、制限情報が付加されていた場合には、当該電子ファイルの保存を不可とし、閲覧のみを許可する制御を行う。
【００４８】
例えば、電子ファイル操作制御部１４１ａは、受信した電子ファイルを使用者が保存しようとした場合に、「このファイルは、閲覧は可能ですが、保存は許可されていません。」などの警告メッセージを、図示していないディスプレイなどの出力手段に出力する。
【００４９】
このように、電子ファイル操作制御部１４１ａが、電子ファイルに制限情報が付加されていた場合には、当該電子ファイルの保存を不可とし、閲覧のみを許可するように制御を行うことによって、例えば、ある移動局装置の使用者が、自身が所有する電子ファイルを他の移動局装置の使用者に閲覧させることができるようになり、有用な電子ファイルの普及を促すことが可能になる。
【００５０】
個人識別情報操作制御部１４２ａは、記憶部１３０ａに記憶されている個人識別情報１３１ａからの個人識別情報の取得を制御する処理部である。
【００５１】
具体的には、この個人識別情報操作制御部１４２ａは、移動局装置１００ａが電子ファイルの複写元である場合には、サーバ装置３０から電子ファイルがダウンロードされた際に電子ファイル操作制御部１４１ａから個人識別情報の取得を要求されると、個人識別情報１３１ａを参照して個人識別情報を取得し、取得した個人識別情報を電子ファイル操作制御部１４１ａに応答する。
【００５２】
また、個人識別情報操作制御部１４２ａは、移動局装置１００ａが電子ファイルの複写先である場合には、使用者からの指示によって複写元の移動局装置から送信された複写開始要求を受信すると、個人識別情報１３１ａを参照して個人識別情報を取得し、取得した個人識別情報を複写元の移動局装置に対して送信する。また、個人識別情報判定制御部１４３ａは、複写元の移動局装置から送信された電子ファイルを受信すると、受信した電子ファイルを電子ファイル操作制御部１４１ａに引き渡す。
【００５３】
個人識別情報判定制御部１４３ａは、複写先の移動局装置から受信した個人識別情報と、電子ファイルに付与されている個人識別情報とを照合することによって、電子ファイルの複写に関する認証を行う処理部である。
【００５４】
具体的には、この個人識別情報判定制御部１４３ａは、移動局装置１００ａが電子ファイルの複写元である場合に、複写先の移動局装置から個人識別情報を受信すると、電子ファイル操作制御部１４１ａに対して電子ファイルの取得を要求する。そして、この要求に対して電子ファイル操作制御部１４１ａから電子ファイルが応答されると、個人識別情報判定制御部１４３ａは、応答された電子ファイルに付与されている個人識別情報と、複写先の移動局装置から受信した個人識別情報とを照合し、一致しているか否かを判定する。この判定には、公知の指紋認証技術や顔認証技術などの生体認証技術が用いられる。
【００５５】
そして、個人識別情報判定制御部１４３ａは、個人識別情報が一致していた場合には、送信先の移動局装置に対して当該電子ファイルを送信し、一方、個人識別情報が一致していなかった場合には、電子ファイルの閲覧のみを可能とする（保存を不可能とする）制限情報を付加した上で、送信先の移動局装置に対して当該電子ファイル（制限付き電子ファイル）を送信する。
【００５６】
ここで、個人識別情報判定制御部１４３ａが、個人識別情報が一致しなかった場合には、例えば、ディスプレイなど出力手段に認証エラーを報知するエラーメッセージを表示して、制限付き電子ファイルを送信しないようにしてもよいし、制限付き電子ファイルを送信するか否かを選択するメッセージを表示し、使用者に選択させるようにしてもよい。
【００５７】
なお、図１に示す移動局装置１００ｂは、移動局装置１００ａが備える上記の機能構成と同様の構成を備えるものであり、ここでは近距離通信制御部１２０ｂを除いて図示を省略しているが、移動局装置１００ａのＮＷ通信制御部１１０ａ、近距離通信制御部１２０ａ、記憶部１３０ａ、個人識別情報１３１ａ、個人識別情報付き電子ファイル１３２ａ、制御部１４０ａ、電子ファイル操作制御部１４１ａ、個人識別情報操作制御部１４２ａおよび個人識別情報判定制御部１４３ａに対応するものとして、それぞれ、ＮＷ通信制御部１１０ｂ、近距離通信制御部１２０ｂ、記憶部１３０ｂ、個人識別情報１３１ｂ、個人識別情報付き電子ファイル１３２ｂ、制御部１４０ｂ、電子ファイル操作制御部１４１ｂ、個人識別情報操作制御部１４２ｂおよび個人識別情報判定制御部１４３ｂを備えている。
【００５８】
次に、本実施例１に係る移動局装置１００ａによる電子ファイル保存処理の処理手順について説明する。図２は、本実施例１に係る移動局装置１００ａによる電子ファイル保存処理の処理手順を示すシーケンス図である。
【００５９】
同図に示すように、この移動局装置１００ａは、使用者からの指示により、ゲームやアプリケーションなどのソフトウェア、楽曲データ、動画データなどをサーバ装置３０からダウンロードするためのダウンロード要求を、固定局１０を経由してサーバ装置３０に対して送信する。
【００６０】
そして、このダウンロード要求に応じて、サーバ装置３０から、固定局１０を経由してソフトウェアやデータなどの電子ファイルがダウンロードされると、（ステップＳ１０１，Ｓ１０２）、ＮＷ通信制御部１１０ａが、この電子ファイルを受信し、電子ファイル操作制御部１４１ａに引渡す（ステップＳ１０３）。
【００６１】
そして、電子ファイルを受け取った電子ファイル操作制御部１４１ａが、個人識別情報操作制御部１４２ａに対して個人識別情報の取得要求を行い（ステップＳ１０４）、個人識別情報操作制御部１４２ａが、個人識別情報１３１ａに登録されている個人識別情報を取得し（ステップＳ１０５）、これを電子ファイル操作制御部１４１ａに応答する（ステップＳ１０６）。
【００６２】
そして、個人識別情報を受け取った電子ファイル操作制御部１４１ａが、この個人識別情報を、サーバ装置３０からダウンロードされた電子ファイルに付与し（ステップＳ１０７）、これを個人識別情報付き電子ファイル１３２ａとして記憶部１３０ａに保存する（ステップＳ１０８）。
【００６３】
このように、電子ファイル操作制御部１４１ａが、電子ファイルがダウンロードされた際に、個人識別情報操作制御部１４２ａを介して、個人識別情報１３１ａに登録されている個人識別情報を取得し、取得した個人識別情報を電子ファイルに付与して個人識別情報付き電子ファイル１３２ａに保存しておくことによって、電子ファイルを複写する際に、電子ファイルごとに認証を行うことが可能になる。
【００６４】
次に、本実施例１に係る移動局装置１００ａおよび１００ｂによる電子ファイル複写処理の処理手順について説明する。なお、ここでは、移動局装置１００ａから移動局装置１００ｂに対して電子ファイルを複写する場合について説明する。図３は、本実施例１に係る移動局装置１００ａおよび１００ｂによる電子ファイル複写処理の処理手順を示すシーケンス図である。
【００６５】
同図に示すように、移動局装置１００ａにおいて、使用者によって電子ファイルの複写の開始手続きが行われると、移動局装置１００ａから移動局装置１００ｂに対して複写開始要求が送信される（ステップＳ２０１）。
【００６６】
そして、複写開始要求を受信した移動局装置１００ｂにおいて、近距離通信制御部１２０ｂを介して複写開始要求を受け取った個人識別情報操作制御部１４２ｂが（ステップＳ２０２）、個人識別情報１３１ｂに登録されている個人識別情報を取得し（ステップＳ２０３）、取得した個人識別情報を、近距離通信制御部１２０ｂを介し（ステップＳ２０４）、移動局装置１００ａに対して送信する（ステップＳ２０５）。
【００６７】
そして、個人識別情報を受信した移動局装置１００ａにおいて、近距離通信制御部１２０ａが、この個人識別情報を個人識別情報判定制御部１４３ａに引渡し（ステップＳ２０６）、これにより個人識別情報判定制御部１４３ａが、電子ファイル操作制御部１４１ａに対して、電子ファイルの取得を要求する（ステップＳ２０７）。
【００６８】
続いて、電子ファイルの取得を要求された電子ファイル操作制御部１４１ａが、個人識別情報付き電子ファイル１３２ａから、その時点で使用者から送信を指示されている電子ファイルを取得し（ステップＳ２０８）、取得した電子ファイルを個人識別情報判定制御部１４３ａに応答する（ステップＳ２０９）。
【００６９】
さらに、電子ファイルを受け取った個人識別情報判定制御部１４３ａが、受け取った電子ファイルに付与されている個人識別情報と、移動局装置１００ｂから受信した個人識別情報とを照合し（ステップＳ２１０）、一致していなかった場合には（ステップＳ２１１，Ｎｏ）、制限情報を付加した上で、近距離通信制御部１２０ａを介して、移動局装置１００ｂに対して当該電子ファイル（制限付き電子ファイル）を送信する（ステップＳ２１２，Ｓ２１３）。
【００７０】
一方、個人識別情報が一致していた場合には、個人識別情報判定制御部１４３ａは、近距離通信制御部１２０ａを介して、移動局装置１００ｂに対して当該電子ファイルを送信する（ステップＳ２１４，Ｓ２１５）。
【００７１】
そして、電子ファイルを受信した移動局装置１００ｂにおいて、受信した電子ファイル（制限付き電子ファイルまたは電子ファイル）が、近距離通信制御部１２０ｂおよび個人識別情報操作制御部１４２ｂを経由して電子ファイル操作制御部１４１ｂに引き渡される（ステップＳ２１６〜Ｓ２１９）。
【００７２】
続いて、電子ファイルを受け取った電子ファイル操作制御部１４１ｂが、受け取った電子ファイルに制限情報が付加されているか否かを判定し、制限情報が付加されていなかった場合には（ステップＳ２２０，Ｎｏ）、当該電子ファイルを個人識別情報付き電子ファイル１３２ｂとして記憶部１３０ｂに保存し（ステップＳ２２１）、一方、制限情報が付加されていた場合には（ステップＳ２２０，Ｙｅｓ）、当該電子ファイルの保存を不可とし、閲覧のみを許可する制御を行う（ステップＳ２２２）。
【００７３】
このように、移動局装置１００ａから移動局装置１００ｂに電子ファイルを複写する場合に、移動局装置１００ａが、移動局装置１００ｂに登録されている個人識別情報を取得し、認証を行った上で、移動局装置１００ｂに対して電子ファイルを送信するので、データの著作権を保護しつつ、複写元の端末装置と複写先の端末装置との間で直接、複写先の端末装置で利用可能なデータのみを複写することができる。
【００７４】
上述してきたように、本実施例１では、記憶部１３０ａが、使用者が購入した電子ファイルに、その使用者を識別する個人識別情報を付与した個人識別情報付き電子ファイル１３２ａを記憶し、これらの電子ファイルを他の移動局装置（ここでは、移動局装置１００ｂ）に複写する場合に、個人識別情報判定制御部１４３ａが、自装置に登録されている個人識別情報と、複写先の端末装置に登録されている個人識別情報とが一致しているか否かを判定し、個人識別情報が一致していると判定した場合に、電子ファイル操作制御部１４１ａを介して個人識別情報付き電子ファイル１３２ａの中から複写対象の電子ファイルを取得し、取得した電子ファイルを近距離通信手段により複写先の移動局装置に対して送信するので、電子ファイルの著作権を保護しつつ、固定局１０やサーバ装置３０に新たな設備導入をすることなく、複写元の移動局装置と複写先の端末装置との間で直接、電子ファイルを複写することができる。また、赤外線通信機などの近距離通信手段を用いて電子ファイルを複写するので、ネットワークの状態や、他の認証用の装置に依存することなく電子ファイルを複写することができる。また、複写元の移動局装置から電子ファイルを送信する前に個人識別情報による認証を行うので、複写先の移動局装置で利用可能な電子ファイルのみを複写することができる。
【実施例２】
【００７５】
ところで、上記実施例１では、送信元の移動局装置において個人識別情報による認証処理を行う場合を説明したが、本発明はこれに限定されるものではなく、かかる認証処理を送信先の移動局装置において行うようにしてもよい。そこで、以下では、送信先の移動局装置において個人識別情報による認証を行う場合を実施例２として説明する。なお、ソフトウェアやデータなどの電子ファイルをサーバ装置３０からダウンロードし、個人識別情報を付与して移動局装置内部の記憶領域に保存する処理については、実施例１と同様であるため、ここでは説明を省略する。
【００７６】
図４は、本実施例２に係る移動局装置の構成を示す機能ブロック図である。まず、図４を用いて、本実施例２に係る移動局装置の概念について説明する。同図に示すように、この移動局装置２００ａは、無線通信によって電話局などの固定局１０に接続され、通話や通信が行われるものである。
【００７７】
ここで、移動局装置２００ａの使用者が、同図に示す新たな移動局装置２００ｂを新たに購入したとする。この移動局装置２００ｂは、移動局装置２００ａと同様の構成を有するものである。移動局装置２００ａの使用者は、それまで移動局装置２００ａで利用していた電子ファイルを、移動局装置２００ｂでも利用できるように、移動局装置２００ｂに複写する。この複写は、あくまで個人使用の範囲で行われるものであり、著作権保護の観点から見ても問題がないものである。
【００７８】
まず、移動局装置２００ｂにおいて、移動局装置２００ａの使用者により、当該使用者を識別するための個人識別情報が登録される。さらに、移動局装置２００ｂにおいて、同じく移動局装置２００ａの使用者により、電子ファイルの複写を開始する指示が行われる。
【００７９】
これを契機として、移動局装置２００ｂは、赤外線通信機などの近距離通信手段を用いて移動局装置２００ａとの間でコネクションを確立し、移動局装置２００ａから個人識別情報を取得する。そして、移動局装置２００ｂは、使用者により登録された個人識別情報と、移動局装置２００ａから取得した個人識別情報とを照合し、一致していた場合には、当該個人識別情報を認証済み個人識別情報として移動局装置２００ａに対して送信する。
【００８０】
認証済み個人識別情報を受信した移動局装置２００ａは、当該認証済み個人識別情報と個人識別情報が一致する電子ファイルを、自装置の記憶領域に保存されている電子ファイルの中から抽出する。そして、抽出した電子ファイルの情報をもとにリストを生成し、（以下、「複写ファイルリスト」と呼ぶ）を生成し、移動局装置２００ｂに対して送信する。
【００８１】
複写ファイルリストを受信した移動局装置２００ｂは、例えば、ディスプレイなどの出力手段に受信した複写ファイルリストを表示し、移動局装置２００ａから複写する電子ファイルを使用者に選択させる。そして、使用者によって電子ファイルが選択されると、移動局装置２００ｂは、選択された電子ファイルを移動局装置２００ａから取得し、自装置の記憶領域に保存する。これにより、以降、移動局装置２００ｂにおいて、移動局装置２００ａから複写された電子ファイルの利用が可能になる。
【００８２】
このように、本実施例に係る移動局装置２００ａは、使用者の個人識別情報を複写先の移動局装置（ここでは、移動局装置２００ｂ）に送信し、送信した個人識別情報と、複写先の端末装置に登録されている個人識別情報とが一致した場合に複写先の移動局装置から送信される認証済み個人識別情報を受信した後に、当該個人識別情報が付与されている電子ファイルを自装置の記憶領域に記憶している電子ファイルの中から取得して複写先の移動局装置に対して送信するので、電子ファイルの著作権を保護しつつ、固定局１０やサーバ装置３０に新たな設備導入をすることなく、複写元の移動局装置と複写先の端末装置との間で直接、電子ファイルを複写することができる。また、複写元の移動局装置から電子ファイルを送信する前に個人識別情報による認証を行うので、複写先の移動局装置で利用可能な電子ファイルのみを複写することができる。
【００８３】
また、本実施例に係る移動局装置２００ａは、個人識別情報が一致していると判定した場合に、当該個人識別情報が付与されている電子ファイルを自装置の記憶領域に記憶している電子ファイルの中から抽出して複写可能な電子ファイルのリスト（複写ファイルリスト）を生成するとともに、生成したリストを複写先の移動局装置に対して送信し、送信したリストの中から選択されて複写先の端末装置から要求される電子ファイルを複写先の端末装置に対して送信するので、複写先の移動局装置に複写することが可能である電子ファイルを一括して使用者に提示して、複写する電子ファイルを選択させることができるようになり、効率よく電子ファイルの複写を行うことが可能になる。
【００８４】
次に、引き続き図４を用いて、本実施例２に係る移動局装置の構成について説明する。なお、同図に示す移動局装置２００ａおよび２００ｂとは、いずれも同様の構成を有するので、ここでは移動局装置２００ａを例にとって説明する。また、ここでは説明の便宜上、図１に示した各部と同様の役割を果たす機能部については同一符号を付すこととしてその詳細な説明を省略する。同図に示すように、移動局装置２００ａは、ＮＷ通信制御部１１０ａと、近距離通信制御部１２０ａと、記憶部１３０ａと、制御部２４０ａとを有する。
【００８５】
制御部２４０ａは、移動局装置２００ａを一つの装置として機能させるための各種処理を実行する処理部であり、特に本発明に密接に関連するものとしては、機能概念的に、電子ファイル操作制御部２４１ａと、個人識別情報操作制御部２４２ａと、個人識別情報判定制御部２４３ａとを備える。
【００８６】
電子ファイル操作制御部２４１ａは、記憶部１３０ａへの個人識別情報付き電子ファイル１３２ａの保存や、記憶部１３０ａからの個人識別情報付き電子ファイル１３２ａの取得を制御するとともに、個人識別情報付き電子ファイル１３２ａに基づいて複写ファイルリストを生成する処理部である。
【００８７】
具体的には、この電子ファイル操作制御部２４１ａは、移動局装置２００ａが電子ファイルの複写元であった場合には、個人識別情報操作制御部２４２ａから複写ファイルリストを要求されると、同時に認証済み個人識別情報を受け取り、受け取った認証済み個人識別情報と個人識別情報が一致する電子ファイルを、記憶部１３０ａに記憶されている個人識別情報付き電子ファイル１３２ａから抽出する。そして、電子ファイル操作制御部２４１ａは、抽出した電子ファイルの情報、例えばファイル名などのリストを生成し、これを複写ファイルリストとして個人識別情報操作制御部２４２ａに応答する。
【００８８】
また、電子ファイル操作制御部２４１ａは、個人識別情報操作制御部２４２ａから電子ファイルの取得を要求されると、要求された電子ファイルを記憶部１３０ａに記憶されている個人識別情報付き電子ファイル１３２ａから取得し、取得した電子ファイルを個人識別情報操作制御部２４２ａに応答する。
【００８９】
一方、移動局装置２００ａが電子ファイルの複写先であった場合には、電子ファイル操作制御部２４１ａは、個人識別情報判定制御部２４３ａを介して、複写元の移動局装置から受信した電子ファイルを受け取ると、当該電子ファイルを個人識別情報付き電子ファイル１３２ａとして記憶部１３０ａに保存する。
【００９０】
個人識別情報操作制御部２４２ａは、記憶部１３０ａに記憶されている個人識別情報１３１ａからの個人識別情報の取得を制御する処理部である。具体的には、この個人識別情報操作制御部２４２ａは、移動局装置２００ａが電子ファイルの複写元であった場合には、使用者からの指示によって複写先の移動局装置から送信された複写開始要求を受信すると、記憶部１３０ａに記憶されている個人識別情報１３１ａを参照して個人識別情報を取得し、取得した個人識別情報を複写先の移動局装置に対して送信する。
【００９１】
また、個人識別情報操作制御部２４２ａは、複写先の移動局装置から送信された認証済み個人識別情報を受信すると、電子ファイル操作制御部２４１ａに対して、認証済み個人識別情報を引き渡すと同時に複写ファイルリストを要求する。そして、この要求に対して電子ファイル操作制御部２４１ａから複写ファイルリストが応答されると、個人識別情報操作制御部２４２ａは、応答された複写ファイルリストを、近距離通信制御部１２０ａを介して複写先の移動局装置に対して送信する。ここで送信する複写ファイルリストは、複写先の移動局装置において、複写元の移動局装置から複写する電子ファイルを使用者が選択する際に用いられる。
【００９２】
このように、個人識別情報操作制御部２４２ａが、電子ファイル操作制御部２４１ａにより生成された複写ファイルリストを複写先の移動局装置に対して送信することによって、複写先の移動局装置に複写することが可能である電子ファイルを一括して使用者に提示して、複写する電子ファイルを選択させることができるようになり、効率よく電子ファイルの複写を行うことが可能になる。
【００９３】
また、個人識別情報操作制御部２４２ａは、複写先の移動局装置から電子ファイル要求を受信すると（ここで受信する電子ファイル要求は、複写先の移動局装置において、使用者によって複写ファイルリストから選択された電子ファイルについて送信されるものである）、電子ファイル操作制御部２４１ａに対して電子ファイルの取得を要求する。そして、この要求に対して電子ファイル操作制御部２４１ａから電子ファイルが応答されると、個人識別情報操作制御部２４２ａは、応答された電子ファイルを、近距離通信制御部１２０ａを介して複写先の移動局装置に対して送信する。
【００９４】
個人識別情報判定制御部２４３ａは、複写元の移動局装置から受信した個人識別情報と、個人識別情報１３１ａに登録されている個人識別情報とを照合することによって、電子ファイルの複写に関する認証を行う処理部である。
【００９５】
具体的には、この個人識別情報判定制御部２４３ａは、移動局装置２００ａが電子ファイルの複写先であった場合に、複写元の移動局装置から個人識別情報を受信すると、個人識別情報操作制御部２４２ａを介して、個人識別情報１３１ａに登録されている個人識別情報を取得し、取得した個人識別情報と、複写元の移動局装置から受信した個人識別情報とを照合し、一致しているか否かを判定する。この判定には、公知の指紋認証技術や顔認証技術などの生体認証技術が用いられる。
【００９６】
ここで、個人識別情報判定制御部２４３ａは、個人識別情報が一致していた場合には、送信元の移動局装置に対して当該個人識別情報を認証済み個人識別情報として送信し、一方、個人識別情報が一致していなかった場合には、例えば、図示していないディスプレイなどの出力手段にエラーメッセージを出力し、使用者に認証エラーを報知する。
【００９７】
また、個人識別情報判定制御部２４３ａは、複写元の移動局装置から送信された電子ファイルを受信すると、かかる電子ファイルを電子ファイル操作制御部２４１ａに引き渡す。
【００９８】
なお、図１に示す移動局装置２００ｂは、移動局装置２００ａが備える上記の機能構成と同様の構成を備えるものであり、ここでは近距離通信制御部１２０ｂを除いて図示を省略しているが、移動局装置２００ａのＮＷ通信制御部１１０ａ、近距離通信制御部１２０ａ、記憶部１３０ａ、個人識別情報１３１ａ、個人識別情報付き電子ファイル１３２ａ、制御部２４０ａ、電子ファイル操作制御部２４１ａ、個人識別情報操作制御部２４２ａおよび個人識別情報判定制御部２４３ａに対応するものとして、それぞれ、ＮＷ通信制御部１１０ｂ、近距離通信制御部１２０ｂ、記憶部１３０ｂ、個人識別情報１３１ｂ、個人識別情報付き電子ファイル１３２ｂ、制御部２４０ｂ、電子ファイル操作制御部２４１ｂ、個人識別情報操作制御部２４２ｂおよび個人識別情報判定制御部２４３ｂを備えている。
【００９９】
次に、本実施例２に係る移動局装置２００ａおよび２００ｂによる電子ファイル複写処理の処理手順について説明する。なお、ここでは、移動局装置２００ａから移動局装置２００ｂに対して電子ファイルを複写する場合について説明する。図５は、本実施例２に係る移動局装置２００ａおよび２００ｂによる電子ファイル複写処理の処理手順を示すシーケンス図である。
【０１００】
同図に示すように、移動局装置２００ｂにおいて、使用者によって電子ファイルの複写の開始手続きが行われると、移動局装置２００ｂから移動局装置２００ａに対して複写開始要求が送信される（ステップＳ３０１）。
【０１０１】
そして、複写開始要求を受信した移動局装置２００ａにおいて、近距離通信制御部１２０ａを介して複写開始要求を受け取った個人識別情報操作制御部２４２ａが（ステップＳ３０２）、個人識別情報１３１ａに登録されている個人識別情報を取得し（ステップＳ３０３）、取得した個人識別情報を、近距離通信制御部１２０ａを介して移動局装置２００ｂに対して送信する（ステップＳ３０４，Ｓ３０５）。
【０１０２】
そして、個人識別情報を受信した移動局装置２００ｂにおいて、近距離通信制御部１２０ｂを介して個人識別情報を受け取った個人識別情報判定制御部２４３ｂが（ステップＳ３０６）、当該個人識別情報と、個人識別情報１３１ａに登録されている個人識別情報とを照合する（ステップＳ３０７）。
【０１０３】
ここで、個人識別情報判定制御部２４３ｂは、個人識別情報が一致していなかった場合には（ステップＳ３０８，Ｎｏ）、使用者に認証エラーを報知し（ステップＳ３０９）、一方、個人識別情報が一致していた場合には（ステップＳ３０８，Ｙｅｓ）、当該個人識別情報を認証済み個人識別情報として、近距離通信制御部１２０ｂを介し（ステップＳ３１０）、移動局装置２００ａに対して送信する（ステップＳ３１１）。
【０１０４】
そして、認証済み個人識別情報を受信した移動局装置２００ａにおいて、近距離通信制御部１２０ａを介して認証済み個人識別情報を受け取った個人識別情報操作制御部２４２ａが（ステップＳ３１２）、電子ファイル操作制御部２４１ａに対して複写ファイルリストを要求する（ステップＳ３１３）。
【０１０５】
続いて、複写ファイルリストを要求された電子ファイル操作制御部２４１ａが、認証済み個人識別情報と個人識別情報が一致する電子ファイルを個人識別情報付き電子ファイル１３２ａから抽出して複写ファイルリストを生成し（ステップＳ３１４）、生成した複写ファイルリストを個人識別情報操作制御部２４２ａに応答する（ステップＳ３１５）。
【０１０６】
さらに、複写ファイルリストを受け取った個人識別情報操作制御部２４２ａが、受け取った複写ファイルリストを、近距離通信制御部１２０ａを介して移動局装置２００ｂに対して送信する（ステップＳ３１６，Ｓ３１７）。
【０１０７】
そして、複写ファイルリストを受信した移動局装置２００ｂにおいて、使用者によって複写ファイルリストの中から電子ファイルが選択されると（ステップＳ３１８）、選択された電子ファイルの要求が移動局装置２００ａに送信される（ステップＳ３１９）。
【０１０８】
そして、電子ファイル要求を受信した移動局装置２００ａにおいて、近距離通信制御部１２０ａを介して電子ファイル要求を受け取った個人識別情報操作制御部２４２ａが（ステップＳ３２０）、電子ファイル操作制御部２４１ａに対して電子ファイルの取得を要求する（ステップＳ３２１）。
【０１０９】
続いて、電子ファイルの取得を要求された電子ファイル操作制御部２４１ａが、要求された電子ファイルを個人識別情報付き電子ファイル１３２ａから取得し（ステップＳ３２２）、取得した電子ファイルを個人識別情報操作制御部２４２ａに応答する（ステップＳ３２３）。
【０１１０】
さらに、電子ファイルを受け取った個人識別情報操作制御部２４２ａが、受け取った電子ファイルを、近距離通信制御部１２０ａを介して移動局装置２００ｂに対して送信する（ステップＳ３２４，Ｓ３２５）。
【０１１１】
そして、電子ファイルを受信した移動局装置２００ｂにおいて、近距離通信制御部１２０ｂおよび個人識別情報判定制御部２４３ｂを経由して電子ファイルを受け取った電子ファイル操作制御部２４１ｂが（ステップＳ３２６，Ｓ３２７）、当該電子ファイルを個人識別情報付き電子ファイル１３２ｂとして記憶部１３０ｂに保存する（ステップＳ３２８）。
【０１１２】
このように、移動局装置２００ａから移動局装置２００ｂに電子ファイルを複写する場合に、移動局装置２００ｂが、移動局装置２００ａに登録されている個人識別情報を取得し、認証を行った上で、移動局装置２００ａから電子ファイルを取得するので、データの著作権を保護しつつ、複写元の端末装置と複写先の端末装置との間で直接、複写先の端末装置で利用可能なデータのみを複写することができる。
【０１１３】
上述してきたように、本実施例２では、個人識別情報操作制御部２４２ａが、使用者の個人識別情報を複写先の移動局装置（ここでは、移動局装置２００ｂ）に送信し、送信した個人識別情報と、複写先の端末装置に登録されている個人識別情報とが一致した場合に複写先の移動局装置から送信される認証済み個人識別情報を受信した後に、電子ファイル操作制御部２４１ａが、当該個人識別情報が付与されている電子ファイルを個人識別情報付き電子ファイル１３２ａの中から取得して複写先の移動局装置に対して送信するので、電子ファイルの著作権を保護しつつ、固定局１０やサーバ装置３０に新たな設備導入をすることなく、複写元の移動局装置と複写先の端末装置との間で直接、電子ファイルを複写することができる。また、複写元の移動局装置から電子ファイルを送信する前に個人識別情報による認証を行うので、複写先の移動局装置で利用可能な電子ファイルのみを複写することができる。
【０１１４】
また、本実施例に係る移動局装置２００ａは、個人識別情報が一致していた場合に、電子ファイル操作制御部２４１ａが、当該個人識別情報が付与されている電子ファイルを個人識別情報付き電子ファイル１３２ａの中から抽出して複写可能な電子ファイルのリスト（複写ファイルリスト）を生成するとともに、個人識別情報操作制御部２４２ａが、生成されたリストを複写先の移動局装置に対して送信し、送信したリストの中から選択されて複写先の端末装置から要求される電子ファイルを複写先の端末装置に対して送信するので、複写先の移動局装置に複写することが可能である電子ファイルを一括して使用者に提示して、複写する電子ファイルを選択させることができるようになり、効率よく電子ファイルの複写を行うことが可能になる。
【０１１５】
なお、上記実施例では、移動局装置間で電子ファイルを複写する場合を説明したが、電子ファイルは移動するようにしてもよい。すなわち、電子ファイルを移動する場合は、電子ファイルを送信した後に、複写元の移動局装置において、当該電子ファイルを削除する。これにより、例えば、著作者の方針によって、１台の移動局装置のみでしか利用が許可されていない電子ファイルがあった場合でも、本発明を適用することが可能になる。
【０１１６】
まお、上記実施例では、一つの種類の個人識別情報を用いて認証を行う場合を説明したが、例えば、指紋と顔や、指紋とパスワードなど、複数の属性情報を用いて認証を行ってもよい。これにより、さらに制度の高い個人認証を行うことが可能になる。
【０１１７】
また、上記実施例では、携帯電話などの移動局装置に本発明を適用した場合について説明したが、本発明はこれに限定されるものではなく、赤外線通信機などの近距離通信手段を備えたパーソナルコンピュータやＰＤＡ（Personal Digital Assistance）などにも同様に適用することができる。
【０１１８】
また、上記実施例では、本発明を適用した移動局装置について説明したが、ここで説明したデータ複写／移動認証に関する機能構成をソフトウェアによって実現することで、同様の機能を有するデータ複写／移動認証プログラムを得ることができる。そこで、このデータ複写／移動認証プログラムを実行する移動局装置について説明する。
【０１１９】
図６は、本実施例に係るデータ複写／移動認証プログラムを実行する移動局装置の構成を示す機能ブロック図である。同図に示すように、この移動局装置３００は、ＲＯＭ３１０と、ＣＰＵ３２０と、フラッシュメモリ３３０と、ディスプレイ３４０と、操作キー３５０と、スピーカ３６０と、マイク３７０と、無線通信回路３８０と、アンテナ３９０とを有する。
【０１２０】
ＲＯＭ３１０は、プログラムやデータを格納する記憶装置であり、ＣＰＵ３２０は、ＲＯＭ３１０からプログラムを読み出して実行する中央処理装置である。フラッシュメモリ３３０は、プログラムやデータの読み出し、および、書き込みが可能な半導体メモリであり、個人識別情報１３１ａや、個人識別情報付き電子ファイル１３２ａなどを記憶する。
【０１２１】
ディスプレイ３４０は、各種情報の表示を行う液晶ディスプレイであり、操作キー３５０は、文字や数字を入力するためのボタンである。スピーカ３６０は、音声通話時の音声などを出力するためのスピーカであり、マイク３７０は、音声通話時に音声を入力するためのマイクである。
【０１２２】
無線通信回路３８０は、アンテナ３９０を介して送信する電波を生成する処理や、アンテナ３９０を介して受信した電波から通信データを復元する処理を行う集積回路であり、アンテナ３９０は、電波を送信あるいは受信するためのアンテナである。
【０１２３】
そして、この移動局装置３００において実行されるデータ複写／移動認証プログラム３１１は、あらかじめＲＯＭ３１０に記憶されて、ＣＰＵ３２０によってデータ複写／移動認証プロセス３２１として実行される。
【０１２４】
なお、データ複写／移動認証プログラム３１１は、必ずしもＲＯＭ３１０に記憶されている必要はなく、例えば、あらかじめ、あるいはネットワーク２０を介して他のコンピュータ（例えば、サーバ装置３０など）からダウンロードされて、フラッシュメモリ３３０に記憶されるとしてもよいし、メモリカードなど、着脱可能な外部記憶装置に記憶されるとしてもよい。
【０１２５】
（付記１）他の端末装置との間で通信を行う近距離通信手段を備えるとともに、使用者が購入した電子ファイルを装置内に記憶する端末装置であって、
使用者が購入した電子ファイルに該使用者を識別する個人識別情報を付与して記憶する電子ファイル記憶手段と、
前記電子ファイル記憶手段により記憶された電子ファイルを他の端末装置に複写／移動する場合に、登録されている個人識別情報と、複写／移動先の端末装置に登録されている個人識別情報とが一致しているか否かを判定する個人識別情報判定手段と、
前記個人識別情報判定手段により個人識別情報が一致していると判定された場合に、前記電子ファイル記憶手段により記憶された電子ファイルの中から複写／移動対象の電子ファイルを取得し、該取得した電子ファイルを前記近距離通信手段により前記複写／移動先の端末装置に対して送信する電子ファイル送信手段と、
を備えたことを特徴とする端末装置。
【０１２６】
（付記２）前記個人識別情報判定手段は、前記複写／移動対象の電子ファイルに付与されている個人識別情報と、前記複写／移動先の端末装置から取得した個人識別情報とが一致しているか否かを判定することを特徴とする付記１に記載の端末装置。
【０１２７】
（付記３）前記電子ファイル送信手段は、前記個人識別情報判定手段により個人識別情報が一致していないと判定された場合に、閲覧のみが許可された電子ファイルを前記複写／移動先の端末装置に対して送信することを特徴とする付記２に記載の端末装置。
【０１２８】
（付記４）前記個人識別情報判定手段は、登録されている個人識別情報を前記複写／移動先の端末装置に送信し、該送信した個人識別情報と、前記複写／移動先の端末装置に登録されている個人識別情報とが一致した場合に該複写／移動先の端末装置から送信される認証結果を受信し、該受信した認証結果に基づいて個人識別情報が一致しているか否かを判定し、
前記電子ファイル送信手段は、前記個人識別情報判定手段により個人識別情報が一致していると判定された場合に、該個人識別情報が付与されている電子ファイルを前記電子ファイル記憶手段により記憶された電子ファイルの中から取得し、該取得した電子ファイルを複写／移動先の端末装置に対して送信することを特徴とする付記１に記載の端末装置。
【０１２９】
（付記５）前記電子ファイル送信手段は、前記個人識別情報判定手段により個人識別情報が一致していると判定された場合に、該個人識別情報が付与されている電子ファイルを前記電子ファイル記憶手段により記憶された電子ファイルの中から抽出して複写／移動可能な電子ファイルのリストを生成するとともに、該生成したリストを前記複写／移動先の端末装置に対して送信し、該送信したリストの中から選択されて該複写／移動先の端末装置から要求される電子ファイルを該複写／移動先の端末装置に対して送信することを特徴とする付記４に記載の端末装置。
【０１３０】
（付記６）前記個人識別情報は、種類の異なる複数の個人属性情報であり、
前記個人識別情報判定手段は、前記複数の個人属性情報がすべて一致した場合に、個人識別情報が一致していると判定することを特徴とする付記１〜５のいずれか一つに記載の端末装置。
【０１３１】
（付記７）前記個人識別情報は、使用者の生体属性情報であることを特徴とする付記１〜６のいずれか一つに記載の端末装置。
【０１３２】
（付記８）他の端末装置との間で通信を行う近距離通信手段を備えるとともに、使用者が購入した電子ファイルを装置内に記憶する端末装置におけるデータ複写／移動認証方法であって、
端末装置の使用者が購入した電子ファイルに該使用者を識別する個人識別情報を付与して該端末装置内の記憶装置に記憶する電子ファイル記憶工程と、
前記電子ファイル記憶工程により記憶された電子ファイルを複写／移動先の端末装置に複写／移動する場合に、複写／移動元の端末装置が、登録されている個人識別情報と、複写／移動先の端末装置に登録されている個人識別情報とが一致しているか否かを判定する個人識別情報判定工程と、
前記個人識別情報判定工程により個人識別情報が一致していると判定された場合に、複写／移動元の端末装置が、前記電子ファイル記憶工程により記憶された電子ファイルの中から複写／移動対象の電子ファイルを取得し、該取得した電子ファイルを前記近距離通信手段により前記複写／移動先の端末装置に対して送信する電子ファイル送信工程と、
を含んだことを特徴とするデータ複写／移動認証方法。
【０１３３】
（付記９）他の端末装置との間で通信を行う近距離通信手段を備えるとともに、使用者が購入した電子ファイルを装置内に記憶する端末装置で実行されるデータ複写／移動認証プログラムであって、
端末装置の使用者が購入した電子ファイルに該使用者を識別する個人識別情報を付与して該端末装置内の記憶装置に記憶する電子ファイル記憶手順と、
前記電子ファイル記憶手順により記憶された電子ファイルを他の端末装置に複写／移動する場合に、登録されている個人識別情報と、複写／移動先の端末装置に記憶されている個人識別情報とが一致しているか否かを判定する個人識別情報判定手順と、
前記個人識別情報判定手順により個人識別情報が一致していると判定された場合に、前記電子ファイル記憶手順により記憶された電子ファイルの中から複写／移動対象の電子ファイルを取得し、該取得した電子ファイルを前記近距離通信手段により前記複写／移動先の端末装置に対して送信する電子ファイル送信手順と、
を前記端末装置に実行させることを特徴とするデータ複写／移動認証プログラム。
【産業上の利用可能性】
【０１３４】
以上のように、本発明に係る端末装置、データ複写／移動認証方法およびデータ複写／移動認証プログラムは、他の端末装置との間で通信を行う近距離通信手段を備えるとともに、使用者が購入した電子ファイルを装置内に記憶するに有用であり、特に、データの著作権を保護しつつ、複写／移動元の端末装置と複写／移動先の端末装置との間で直接、複写／移動先の端末装置で利用可能なデータのみを複写／移動したい場合に適している。
【図面の簡単な説明】
【０１３５】
【図１】本実施例１に係る移動局装置の構成を示す機能ブロック図である。
【図２】本実施例１に係る移動局装置による電子ファイル保存処理の処理手順を示すシーケンス図である。
【図３】本実施例１に係る移動局装置による電子ファイル複写処理の処理手順を示すシーケンス図である。
【図４】本実施例２に係る移動局装置の構成を示す機能ブロック図である。
【図５】本実施例２に係る移動局装置による電子ファイル複写処理の処理手順を示すシーケンス図である。
【図６】本実施例に係るデータ複写／移動認証プログラムを実行する移動局装置の構成を示す機能ブロック図である。
【符号の説明】
【０１３６】
１０    固定局
２０    ネットワーク
３０    サーバ装置
１００ａ，１００ｂ，２００ａ，２００ｂ，３００    移動局装置
１１０ａ，１１０ｂ    ＮＷ通信制御部
１２０ａ，１２０ｂ    近距離通信制御部
１３０ａ，１３０ｂ    記憶部
１３１ａ，１３１ｂ    個人識別情報
１３２ａ，１３２ｂ    個人識別情報付き電子ファイル
１４０ａ，１４０ｂ，２４０ａ，２４０ｂ    制御部
１４１ａ，１４１ｂ，２４１ａ，２４１ｂ    電子ファイル操作制御部
１４２ａ，１４２ｂ，２４２ａ，２４２ｂ    個人識別情報操作制御部
１４３ａ，１４３ｂ，２４３ａ，２４３ｂ    個人識別情報判定制御部
３１０    ＲＯＭ
３１１    データ複写／移動認証プログラム
３２０    ＣＰＵ
３２１    データ複写／移動認証プロセス
３３０    フラッシュメモリ
３４０    ディスプレイ
３５０    操作キー
３６０    スピーカ
３７０    マイク
３８０    無線通信回路
３９０    アンテナ
【図１】
2007334453.tif 000003
【図２】
2007334453.tif 000004
【図３】
2007334453.tif 000005
【図４】
2007334453.tif 000006
【図５】
2007334453.tif 000007
【図６】
2007334453.tif 000008